(57)【要約】【課題】固定アゴ部に対する可動アゴ部の開き動作やその開き角度等を規制する規制機構が不要で、固定アゴ部と可動アゴ部のピン収容部それぞれに連結ピンを収容する。【解決手段】可動アゴ部側連結ピン２ｂが可動アゴ側ピン収容部１ｂ３０に収容されるまで案内する可動アゴ部側連結ピン案内面１ｂ３９と、固定アゴ部側ピン収容部１ａ３０に固定アゴ部側連結ピン２ａを収容後、建設機械の作動アーム３ａ等の動作により可動アゴ部１ｂを可動アゴ部側連結ピン２ｂに近付けて可動アゴ側ピン収容部１ｂ３０に可動アゴ部側連結ピン２ｂを収容させる際、この建設機械で取り付ける各種アタッチメントの内、ピン間隔が最小および最大の可動アゴ部側連結ピン２ｂでも、可動アゴ部側連結ピン２ｂが可動アゴ部側連結ピン案内面１ｂ３９に当接するように固定アゴ部１ａに対する可動アゴ部１ｂの閉じ過ぎを防止する閉じ過ぎ防止部１ｄ１とを有する。【選択図】図５
2019157545.tif 000002
【特許請求の範囲】
【請求項１】
バケット等の各種アタッチメントに所定間隔を空けて設けられた固定アゴ部側連結ピンと可動アゴ部側連結ピンそれぞれをパワーショベル等の建設機械の作動アーム先端部に取り付けられた固定アゴ部の固定アゴ部側ピン収容部と、前記建設機械の作動アームに設けられたバケットシリンダから伸縮するピストン先端部に可動アゴ連結リンクを介して取り付けられた可動アゴ部の可動アゴ部側ピン収容部とに収容させた後、前記固定アゴ部側ピン収容部の開口部と前記可動アゴ部側ピン収容部の開口部とをそれぞれ固定アゴ部側閉塞部と可動アゴ部側閉塞部とによって閉塞してアタッチメントを取付ける建設機械のアタッチメント取付け冶具であって、
前記可動アゴ部の可動アゴ部側ピン収容部の開口部外側に設けられ、前記建設機械で取り付ける前記各種アタッチメントの内、前記固定アゴ部側連結ピンと前記可動アゴ部側連結ピンとのピン間隔が最小の可動アゴ部側連結ピンおよび最大の可動アゴ部側連結ピンでも当接して当該可動アゴ部側連結ピンが前記可動アゴ部側ピン収容部に収容されるまで案内する可動アゴ部側連結ピン案内面と、
前記固定アゴ部の固定アゴ部側ピン収容部に前記固定アゴ部側連結ピンを収容後、前記建設機械の油圧シリンダ等の作動により前記可動アゴ部を前記可動アゴ部側連結ピンに近付けて当該可動アゴ部の可動アゴ部側ピン収容部に前記可動アゴ部側連結ピンを収容させる際、前記建設機械で取り付ける前記各種アタッチメントの内、前記固定アゴ部側連結ピンと前記可動アゴ部側連結ピンとのピン間隔が最小の可動アゴ部側連結ピンおよび最大の可動アゴ部側連結ピンでも、前記可動アゴ部側連結ピンが前記可動アゴ部側連結ピン案内面に当接するように前記固定アゴ部に対する前記可動アゴ部の閉じ過ぎを防止する閉じ過ぎ防止部と、
を有することを特徴とする建設機械のアタッチメント取付け冶具。
【請求項２】
請求項１記載の建設機械のアタッチメント取付け冶具において、
前記固定アゴ部と前記可動アゴ部とは、回動軸を介して回動可能に構成されていると共に、前記回動軸を介して前記固定アゴ部の固定アゴ部側ピン収容部に対する前記可動アゴ部の可動アゴ部側ピン収容部の開き過ぎを防止する開き過ぎ防止部を設けており、前記建設機械の作動アームに取り付けられたバケットシリンダによって前記回動軸を介して前記固定アゴ部と前記可動アゴ部とが回動して前記固定アゴ部側ピン収容部と前記可動アゴ部側ピン収容部との間隔が狭くなったり拡がり、前記固定アゴ部側ピン収容部に前記固定アゴ部側ピンが収容され、前記可動アゴ部側ピン収容部に前記可動アゴ部側ピンが収容できることを特徴とする建設機械のアタッチメント取付け冶具。
【請求項３】
請求項２記載の建設機械のアタッチメント取付け冶具において、
前記閉じ過ぎ防止部は、前記固定アゴ部における前記回動軸に近い位置に溶接され、前記可動アゴ部の前記回動軸に近い基部が当接するストッパーの一部であり、前記可動アゴ部の前記回動軸に近い基部が前記固定アゴ部の前記ストッパーに当接した状態で、前記固定アゴ部の固定アゴ部側ピン収容部に前記固定アゴ部側連結ピンを収容後、前記建設機械の油圧シリンダ等の作動により前記可動アゴ部を前記可動アゴ部側連結ピンに近付けて当該可動アゴ部の可動アゴ部側ピン収容部に前記可動アゴ部側連結ピンを収容させた場合には、前記建設機械で取り付ける前記各種アタッチメントの内、前記固定アゴ部側連結ピンと前記可動アゴ部側連結ピンとのピン間隔が最小の可動アゴ部側連結ピンおよび最大の可動アゴ部側連結ピンでも、前記可動アゴ部側連結ピンが前記可動アゴ部側連結ピン案内面に当接することを特徴とする建設機械のアタッチメント取付け冶具。
【請求項４】
請求項２記載の建設機械のアタッチメント取付け冶具において、
前記閉じ過ぎ防止部は、前記固定アゴ部と前記可動アゴ部の対向する腹部であり、前記固定アゴ部の腹部と前記可動アゴ部の腹部とが当接した状態で、前記固定アゴ部の固定アゴ部側ピン収容部に前記固定アゴ部側連結ピンを収容後、前記建設機械の油圧シリンダ等の作動により前記可動アゴ部を前記可動アゴ部側連結ピンに近付けて当該可動アゴ部の可動アゴ部側ピン収容部に前記可動アゴ部側連結ピンを収容させた場合には、前記建設機械で取り付ける前記各種アタッチメントの内、前記固定アゴ部側連結ピンと前記可動アゴ部側連結ピンとのピン間隔が最小の可動アゴ部側連結ピンおよび最大の可動アゴ部側連結ピンでも、前記可動アゴ部側連結ピンが前記可動アゴ部側連結ピン案内面に当接することを特徴とする建設機械のアタッチメント取付け冶具。
【請求項５】
請求項１〜請求項４記載の建設機械のアタッチメント取付け冶具を備えたことを特徴とする建設機械。
【発明の詳細な説明】
【技術分野】
【０００１】
本発明は、パワーショベル等の建設機械のアタッチメント取付け冶具および建設機械に関する。
【背景技術】
【０００２】
従来より、パワーショベル等の建設機械のアタッチメント取付け冶具として、バケット等のアタッチメントに所定間隔を空けて設けられた２本の連結ピンにそれぞれ一端開放の固定アゴ部と可動アゴ部とを係合させた後、規制材とコイルばね等により固定アゴ部から可動アゴ部が離れるように付勢する機構や（例えば、特許文献１参照。）、ネジ等を駆動させることによって可動アゴ部を固定アゴ部から離れるように付勢したり（例えば、特許文献２参照。）、さらには専用のバケットシリンダによって可動アゴ部を固定アゴ部から離れるように付勢する機構（例えば、特許文献３参照。）や、可動アゴ部と固定アゴ部のピン収容部を固定アゴ部側閉塞部と可動アゴ部側閉塞部とによって閉塞するように構成したものも提案されている（例えば、特許文献４参照。）。
【先行技術文献】
【特許文献】
【０００３】
【特許文献１】特開２０１１−２３１５０５号公報
【特許文献２】実用新案登録第３１３４６９６号公報
【特許文献３】特開平２００６−１６９８８６号公報
【特許文献４】特許第６２１１３２４号公報
【発明の概要】
【発明が解決しようとする課題】
【０００４】
しかし、上述の特許文献１〜３に記載の建設機械のアタッチメント取付け冶具では、一端開放の固定アゴ部と可動アゴ部にそれぞれ連結ピンを係合させた後、規制材とコイルばねや、ネジまたはバケットシリンダ等によって固定アゴ部から可動アゴ部が離れるように付勢する規制機構が必要であるため、その分だけコストが増大するという問題があった。
【０００５】
また、ネジまたはバケットシリンダ等によって固定アゴ部から可動アゴ部が離れるように付勢しているものの、連結ピンが係合している固定アゴ部と可動アゴ部とは、その一端が開放したままであるため、連結ピンが外れるおそれもあった。
【０００６】
また、特許文献４に記載の建設機械のアタッチメント取付け冶具では、固定アゴ部と可動アゴ部の開口部を、それぞれ、固定アゴ部側閉塞部と可動アゴ部側閉塞部とによって閉塞するように構成されていているため、連結ピンが外れるおそれはないものの、熟練者でない場合には、固定アゴ部と可動アゴ部のピン収容部それぞれに連結ピンを収容することが困難であるという問題があった。
【０００７】
そこで、本発明は、このような問題点に着目してなされたもので、固定アゴ部に対する可動アゴ部の開き動作やその開き角度等を規制するネジやバケットシリンダ等の規制機構が不要でコストを削減できる共に、固定アゴ部と可動アゴ部のピン収容部それぞれに連結ピンを収容して連結ピンが外れることを確実に防止できる建設機械のアタッチメント取付け冶具および建設機械を提供することを目的とする。
【課題を解決するための手段】
【０００８】
前記課題を解決するため、本発明に係る建設機械のアタッチメント取付け冶具は、バケット等の各種アタッチメントに所定間隔を空けて設けられた固定アゴ部側連結ピンと可動アゴ部側連結ピンそれぞれをパワーショベル等の建設機械の作動アーム先端部に取り付けられた固定アゴ部の固定アゴ部側ピン収容部と、前記建設機械の作動アームに設けられたバケットシリンダから伸縮するピストン先端部に可動アゴ連結リンクを介して取り付けられた可動アゴ部の可動アゴ部側ピン収容部とに収容させた後、前記固定アゴ部側ピン収容部の開口部と前記可動アゴ部側ピン収容部の開口部とをそれぞれ固定アゴ部側閉塞部と可動アゴ部側閉塞部とによって閉塞してアタッチメントを取付ける建設機械のアタッチメント取付け冶具であって、前記可動アゴ部の可動アゴ部側ピン収容部の開口部外側に設けられ、前記建設機械で取り付ける前記各種アタッチメントの内、前記固定アゴ部側連結ピンと前記可動アゴ部側連結ピンとのピン間隔が最小の可動アゴ部側連結ピンおよび最大の可動アゴ部側連結ピンでも当接して当該可動アゴ部側連結ピンが前記可動アゴ部側ピン収容部に収容されるまで案内する可動アゴ部側連結ピン案内面と、前記固定アゴ部の固定アゴ部側ピン収容部に前記固定アゴ部側連結ピンを収容後、前記建設機械の油圧シリンダ等の作動により前記可動アゴ部を前記可動アゴ部側連結ピンに近付けて当該可動アゴ部の可動アゴ部側ピン収容部に前記可動アゴ部側連結ピンを収容させる際、前記建設機械で取り付ける前記各種アタッチメントの内、前記固定アゴ部側連結ピンと前記可動アゴ部側連結ピンとのピン間隔が最小の可動アゴ部側連結ピンおよび最大の可動アゴ部側連結ピンでも、前記可動アゴ部側連結ピンが前記可動アゴ部側連結ピン案内面に当接するように前記固定アゴ部に対する前記可動アゴ部の閉じ過ぎを防止する閉じ過ぎ防止部とを有することを特徴とする。
また、本発明に係る建設機械のアタッチメント取付け冶具では、前記固定アゴ部と前記可動アゴ部とは、回動軸を介して回動可能に構成されていると共に、前記回動軸を介して前記固定アゴ部の固定アゴ部側ピン収容部に対する前記可動アゴ部の可動アゴ部側ピン収容部の開き過ぎを防止する開き過ぎ防止部を設けており、前記建設機械の作動アームに取り付けられたバケットシリンダによって前記回動軸を介して前記固定アゴ部と前記可動アゴ部とが回動して前記固定アゴ部側ピン収容部と前記可動アゴ部側ピン収容部との間隔が狭くなったり拡がり、前記固定アゴ部側ピン収容部に前記固定アゴ部側ピンが収容され、前記可動アゴ部側ピン収容部に前記可動アゴ部側ピンが収容できることも特徴とする。
また、本発明に係る建設機械のアタッチメント取付け冶具では、建設機械のアタッチメント取付け冶具において、前記閉じ過ぎ防止部は、前記固定アゴ部における前記回動軸に近い位置に溶接され、前記可動アゴ部の前記回動軸に近い基部が当接するストッパーの一部であり、前記可動アゴ部の前記回動軸に近い基部が前記固定アゴ部の前記ストッパーに当接した状態で、前記固定アゴ部の固定アゴ部側ピン収容部に前記固定アゴ部側連結ピンを収容後、前記建設機械の油圧シリンダ等の作動により前記可動アゴ部を前記可動アゴ部側連結ピンに近付けて当該可動アゴ部の可動アゴ部側ピン収容部に前記可動アゴ部側連結ピンを収容させた場合には、前記建設機械で取り付ける前記各種アタッチメントの内、前記固定アゴ部側連結ピンと前記可動アゴ部側連結ピンとのピン間隔が最小の可動アゴ部側連結ピンおよび最大の可動アゴ部側連結ピンでも、前記可動アゴ部側連結ピンが前記可動アゴ部側連結ピン案内面に当接することも特徴とする。
また、本発明に係る建設機械のアタッチメント取付け冶具では、前記閉じ過ぎ防止部は、前記固定アゴ部と前記可動アゴ部の対向する腹部であり、前記固定アゴ部の腹部と前記可動アゴ部の腹部とが当接した状態で、前記固定アゴ部の固定アゴ部側ピン収容部に前記固定アゴ部側連結ピンを収容後、前記建設機械の油圧シリンダ等の作動により前記可動アゴ部を前記可動アゴ部側連結ピンに近付けて当該可動アゴ部の可動アゴ部側ピン収容部に前記可動アゴ部側連結ピンを収容させた場合には、前記建設機械で取り付ける前記各種アタッチメントの内、前記固定アゴ部側連結ピンと前記可動アゴ部側連結ピンとのピン間隔が最小の可動アゴ部側連結ピンおよび最大の可動アゴ部側連結ピンでも、前記可動アゴ部側連結ピンが前記可動アゴ部側連結ピン案内面に当接することも特徴とする。
また、本発明に係る建設機械は、上述のいずれかの建設機械のバケット取付け構造を備えたことを特徴とする。
【発明の効果】
【０００９】
本発明に係る建設機械のアタッチメント取付け冶具および建設機械では、可動アゴ部の可動アゴ部側ピン収容部の開口部周囲に設けられ、可動アゴ部側連結ピンに当接して当該可動アゴ部側連結ピンが可動アゴ部側ピン収容部に収容されるまで案内する可動アゴ部側連結ピン案内面と、固定アゴ部の固定アゴ部側ピン収容部に固定アゴ部側連結ピンを収容後、建設機械の作動アームに設けられたバケットシリンダの動作により可動アゴ部を可動アゴ部側連結ピンに近付けて当該可動アゴ部の可動アゴ部側ピン収容部に可動アゴ部側連結ピンを収容させる際、建設機械で取り付ける各種アタッチメントの内、固定アゴ部側連結ピンと可動アゴ部側連結ピンとのピン間隔が最小の可動アゴ部側連結ピンおよび最大の可動アゴ部側連結ピンでも、可動アゴ部側連結ピンが可動アゴ部側連結ピン案内面に当接するように固定アゴ部に対する可動アゴ部の閉じ過ぎを防止する閉じ過ぎ防止部とを有する。
そのため、固定アゴ部に対する可動アゴ部の開き動作やその開き角度等を規制するネジやバケットシリンダ等の規制機構が不要でコストを削減できる共に、固定アゴ部と可動アゴ部のピン収容部それぞれに連結ピンを収容して連結ピンが外れることを確実に防止できる。
【図面の簡単な説明】
【００１０】
【図１】本発明に係る実施形態の建設機械のアタッチメント取付け冶具を介して作動アームにバケットを取付ける際の状態を示す正面図である。
【図２】本発明に係る実施形態の建設機械のアタッチメント取付け冶具の平面図である。
【図３】本発明に係る実施形態の建設機械のアタッチメント取付け冶具の底面図である。
【図４】本発明に係る実施形態の建設機械のアタッチメント取付け冶具の正面図である。
【図５】本発明に係る実施形態の建設機械のアタッチメント取付け冶具の断面図である。
【図６】本発明に係る実施形態の建設機械のアタッチメント取付け冶具において固定アゴ部側ピン収容部および可動アゴ部側ピン収容部の開口部をそれぞれ固定アゴ部側閉塞部と可動アゴ部側閉塞部とによって閉塞した状態を示す断面図である。
【図７】本発明に係る実施形態の建設機械のアタッチメント取付け冶具において可動アゴ部に設けたストッパーの閉じ過ぎ防止部が固定アゴ部に当接して固定アゴ部に対する可動アゴ部の閉じ過ぎを防止している状態を示す要部切欠正面図である。
【図８】本発明に係る実施形態の建設機械のアタッチメント取付け冶具において可動アゴ部に設けたストッパーの開き過ぎ防止部が固定アゴ部に当接して固定アゴ部に対する可動アゴ部の開き過ぎを防止している状態を示す要部切欠正面図である。
【図９】本発明に係る実施形態の建設機械のアタッチメント取付け冶具によってピン間隔が小さいアタッチメント（例えば、バケット。）の固定アゴ部の固定アゴ部側ピン収容部に固定アゴ部側連結ピンを収容した状態を示す正面図である。
【図１０】本発明に係る実施形態の建設機械のアタッチメント取付け冶具によってピン間隔が小さいアタッチメント（例えば、バケット。）の固定アゴ部の固定アゴ部側ピン収容部に固定アゴ部側連結ピンを収容後、バケットシリンダの作動によって可動アゴ部を可動アゴ部側連結ピンに近付けて、可動アゴ部の可動アゴ部側連結ピン案内面を可動アゴ部側連結ピンに当接させた状態を示す正面図である。
【図１１】本発明に係る実施形態の建設機械のアタッチメント取付け冶具によってピン間隔が小さいアタッチメント（例えば、バケット。）の固定アゴ部の固定アゴ部側ピン収容部に固定アゴ部側連結ピンを収容後、バケットシリンダの作動によって可動アゴ部の可動アゴ部側連結ピン案内面を可動アゴ部側連結ピンに当接させ、可動アゴ部の可動アゴ部側ピン収容部に可動アゴ部側連結ピンを収容した状態を示す正面図である。
【図１２】本発明に係る実施形態の建設機械のアタッチメント取付け冶具によってピン間隔が小さいアタッチメント（例えば、バケット。）の固定アゴ部の固定アゴ部側ピン収容部に固定アゴ部側連結ピンを収容すると共に、バケットシリンダの動作によって可動アゴ部の可動アゴ部側ピン収容部に可動アゴ部側連結ピンを収容した後、それぞれ固定アゴ部側閉塞部と可動アゴ部側閉塞部とによって閉塞した状態を示す断面図である。
【図１３】本発明に係る実施形態の建設機械のアタッチメント取付け冶具によってピン間隔が大きいアタッチメント（例えば、破砕機。）の固定アゴ部の固定アゴ部側ピン収容部に固定アゴ部側連結ピンを収容した状態を示す正面図である。
【図１４】本発明に係る実施形態の建設機械のアタッチメント取付け冶具によってピン間隔が大きいアタッチメント（例えば、破砕機。）の固定アゴ部の固定アゴ部側ピン収容部に固定アゴ部側連結ピンを収容後、バケットシリンダの作動によって可動アゴ部を可動アゴ部側連結ピンに近付けて、可動アゴ部の可動アゴ部側連結ピン案内面を可動アゴ部側連結ピンに当接させた状態を示す正面図である。
【図１５】本発明に係る実施形態の建設機械のアタッチメント取付け冶具によってピン間隔が大きいアタッチメント（例えば、破砕機。）の固定アゴ部の固定アゴ部側ピン収容部に固定アゴ部側連結ピンを収容後、バケットシリンダの作動によって可動アゴ部の可動アゴ部側連結ピン案内面を可動アゴ部側連結ピンに当接させ、可動アゴ部の可動アゴ部側ピン収容部に可動アゴ部側連結ピンを収容した状態を示す正面図である。
【図１６】本発明に係る実施形態の建設機械のアタッチメント取付け冶具によってピン間隔が大きいアタッチメント（例えば、破砕機。）の固定アゴ部の固定アゴ部側ピン収容部に固定アゴ部側連結ピンを収容すると共に、バケットシリンダの動作によって可動アゴ部の可動アゴ部側ピン収容部に可動アゴ部側連結ピンを収容した後、それぞれ固定アゴ部側閉塞部と可動アゴ部側閉塞部とによって閉塞した状態を示す断面図である。
【図１７】（ａ）,（ｂ）それぞれ本発明に係る実施形態の建設機械のアタッチメント取付け冶具を構成する閉じ過ぎ防止部と、開きすぎ防止部とを独立して設けた際の閉じ過ぎを防止した状態と、開き過ぎを防止した状態とを示す部分断面図である。
【図１８】本発明に係る実施形態の建設機械のアタッチメント取付け冶具を構成する開きすぎ防止部を設けると共に、閉じ過ぎ防止部の機能を固定アゴ部および可動アゴ部の腹部に持たせた状態を示す部分断面図である。
【発明を実施するための形態】
【００１１】
以下、本発明に係る実施の形態の建設機械とそのアタッチメント取付け冶具および建設機械について、図面を参照しながら説明する。ただし、下記に説明する実施の形態は、あくまで、本発明の一例であり、本発明は、下記に説明する実施の形態に限定されるものではなく、本発明の技術的思想の範囲内で適宜変更可能である。
【００１２】
本発明に係る実施形態の建設機械のアタッチメント取付け冶具１は、図１に示すように、アタッチメントの一つであるバケット２の後部部に所定間隔を空けて設けられた２本の固定アゴ部側連結ピン２ａａ，２ｂ、すなわち固定アゴ部側連結ピン２ａと可動アゴ部側連結ピン２ｂとを、それぞれパワーショベル等の建設機械（図示省略。）の作動アーム３ａ先端部に取り付けられた固定アゴ部１ａと、バケットシリンダ３ｂから伸縮するピストン３ｂ１先端部に可動アゴ連結リンク３ｃを介して取り付けられた可動アゴ部１ｂとを係合させてアタッチメントの一つであるバケット２を取付けるものである。
【００１３】
なお、図１において、３ｄは、作動アーム３ａに基端部が回動可能に連結される一方、バケットシリンダ３ｂから伸縮するピストン３ｂ１の先端部と可動アゴ連結リンク３ｃの基端部に先端部が回動可能に連結されたアームリンクである。また、アタッチメント取付け冶具１以外のバケット２や、作動アーム３ａ、バケットシリンダ３ｂ、可動アゴ連結リンク３ｃ、アームリンク３ｄ等の構成や連結構造は、従来のものと同じで周知であり、さらには、アタッチメントとして、バケット２以外のドリルや杭打機、破砕機等のアタッチメントも当然に適用可能である。
【００１４】
＜建設機械のアタッチメント取付け冶具１の構成＞
実施形態のアタッチメント取付け冶具１は、図１〜図８に示すように、固定アゴ部１ａと、可動アゴ部１ｂとが回動軸１ｃを介して回動可能に構成され、回動軸１ｃを中心に固定アゴ部１ａと可動アゴ部１ｂとが回動することによって、固定アゴ部１ａは固定アゴ部側連結ピン２ａに連結する一方、可動アゴ部１ｂは可動アゴ部側連結ピン２ｂに連結するように構成されている。
【００１５】
（固定アゴ部１ａ）
固定アゴ部１ａは、図１に示すように建設機械の作動アーム３ａの先端部に固定アゴ連結ピン３ａ１を介して固定側連結板１ａ１が回動可能に連結されており、その固定側連結板１ａ１の下端部には、固定側水平基板１ａ２を介して固定側フック板１ａ３が設けられている。
【００１６】
固定側フック板１ａ３には、固定アゴ部側連結ピン２ａに係合する一端開放でかつ固定アゴ部側連結ピン２ａの外周面に応じたほぼ断面半円弧状で固定アゴ部側ピン収容部１ａ３０を形成する半円弧状係合部１ａ３１と、抜差し式ロックピン１ａ３３が挿入されるロックピン用抜差し孔１ａ３２と、回動ピン１ａ３７で回動可能に連結され、回動軸１ａ３４を介して回動することにより固定アゴ部側ピン収容部１ａ３０の開口部を閉塞して固定アゴ部側連結ピン２ａを連結およびロックする本発明の固定アゴ部側閉塞部を構成する第１回動式半円弧状閉塞部片１ａ３５および第２回動式半円弧状閉塞部片１ａ３６と、ハンドル１ａ３８とが設けられている。
【００１７】
つまり、第１回動式半円弧状閉塞部片１ａ３５は、後述するように基端側が回動ピン１ａ３７を介して第２回動式半円弧状閉塞部片１ａ３６の先端側に回動可能に連結される一方、先端側に固定アゴ部側連結ピン２ａの外周面に応じた半円弧状当接部１ａ３５ａを有し、その半円弧状当接部１ａ３５ａと固定アゴ部１ａの半円弧状係合部１ａ３１との間で固定アゴ部側連結ピン２ａを挟持して支持する。
【００１８】
第２回動式半円弧状閉塞部片１ａ３６は、先端側が回動ピン１ａ３７を介して第１回動式半円弧状閉塞部片１ａ３５の基端側に回動可能に連結される一方、基端側が回動軸１ａ３４を介して固定アゴ部１ａに回動可能に取付けられている。そして、ロックピン用抜差し孔１ａ３２に抜差し式ロックピン１ａ３３が挿入され、第１回動式半円弧状閉塞部片１ａ３５の半円弧状当接部１ａ３５ａと固定アゴ部１ａの半円弧状係合部１ａ３１との間で固定アゴ部側連結ピン２ａを挟んで支持している場合、第２回動式半円弧状閉塞部片１ａ３６における回動ピン１ａ３７と回動軸１ａ３４との間の内側面１ａ３６ａが半円弧状係合部１ａ３１の外周面１ａ３１ａに当接して、半円弧状係合部１ａ３１を介して固定アゴ部側連結ピン２ａにかかる力を受ける。なお、このように固定アゴ部側連結ピン２ａを挟んで支持している場合、第１回動式半円弧状閉塞部片１ａ３５両側の端部と、固定アゴ部１ａの半円弧状係合部１ａ３１両側の端部とは接触していても、接触しなくてもどちらでも良いが、この実施形態では、後述する図８や図９に示すように第１回動式半円弧状閉塞部片１ａ３５の両端部と、固定アゴ部１ａの半円弧状係合部１ａ３１の両端部とは接触してなく、両端部間の内周面が固定アゴ部側連結ピン２ａをその両側から密接状態で確実に挟持する。
【００１９】
そして、本実施形態の固定アゴ部１ａの固定側連結板１ａ１には、角部をそれぞれ本発明の閉じ過ぎ防止部１ｄ１と開き過ぎ防止部１ｄ２として機能させるストッパー１ｄを溶接やボルト等によって接合して設けている。
【００２０】
ここで、ストッパー１ｄの閉じ過ぎ防止部１ｄ１は、後述するように固定アゴ部１ａの半円弧状係合部１ａ３１の内側である固定アゴ部側ピン収容部１ａ３０に固定アゴ部側連結ピン２ａを収容後、建設機械の作動アーム３ａに設けられたバケットシリンダ３ｂの動作により可動アゴ部１ｂを可動アゴ部側連結ピン１ｂに近付けて当該可動アゴ部１ｂの後述する半円弧状係合部１ｂ３１の内側である可動アゴ部側ピン収容部１ｂ３０に可動アゴ部側連結ピン２ｂを収容させる際、図７に示すように可動アゴ部１ｂの可動側連結板１ｂ１における回動軸１ｃ近傍の下端部が当接して、この建設機械で取り付ける各種アタッチメントの内、固定アゴ部側連結ピン２ａと可動アゴ部側連結ピン２ｂ間のピン間隔が最小の可動アゴ部側連結ピン２ｂおよび最大の可動アゴ部側連結ピン２ｂでも、可動アゴ部側連結ピン２ｂが可動アゴ部側連結ピン案内面１ｂ３９に当接して可動アゴ部側連結ピン２ｂを可動アゴ部側ピン収容部１ｂ３０まで案内できるように固定アゴ部１ａに対する可動アゴ部１ｂの閉じ過ぎを防止するものである。
【００２１】
また、ストッパー１ｄの開き過ぎ防止部１ｄ２は、可動アゴ部１ｂが回動軸１ｃを介して固定アゴ部１ａに対し回動した際、図８に示すように可動アゴ部１ｂの可動側連結板１ｂ１における回動軸１ｃ近傍の下端部が当接して、固定アゴ部１ａの固定アゴ部側ピン収容部１ａ３０に対する可動アゴ部１ｂの可動アゴ側ピン収容部１ｂ３０の開き過ぎを防止するものである。
【００２２】
（可動アゴ部１ｂ）
可動アゴ部１ｂは、図１に示すようにバケットシリンダ３ｂから伸縮するピストン３ｂ１先端部に可動アゴ連結リンク３ｃを介して取り付けられ、固定アゴ部１ａに対し回動軸１ｃを中心に回動可能に設けられたもので、図４〜図６等に示すように可動アゴ連結リンク３ｃの先端部に連結ピン３ｃ１を介して可動側連結部１ｂ１が回動可能に連結されており、その可動側連結部１ｂ１の下端部には、可動側水平基板１ｂ２を介して可動側フック板１ｂ３が設けられている。
【００２３】
可動側フック板１ｂ３には、可動アゴ部側連結ピン２ｂに係合する一端開放でかつ可動アゴ部側連結ピン２ｂの外周面に応じたほぼ断面半円弧状で固定アゴ部側ピン収容部１ｂ３０を形成する半円弧状係合部１ｂ３１と、ロックピン１ｂ３３が挿入されるロックピン用抜差し孔１ｂ３２と、回動ピン１ｂ３７で回動可能に連結され、回動軸１ｂ３４を介して回動することにより可動アゴ部側ピン収容部１ｂ３０の開口部を閉塞して可動アゴ部側連結ピン２ｂを連結およびロックする本発明の可動アゴ部側閉塞部を構成する第１回動式半円弧状閉塞部片１ｂ３５および第２回動式半円弧状閉塞部片１ｂ３６と、ハンドル１ｂ３８とが設けられている。なお、可動側フック板１ｂ３側の第１回動式半円弧状閉塞部片１ｂ３５および第２回動式半円弧状閉塞部片１ｂ３６も、固定側フック板１ａ３側の第１回動式半円弧状閉塞部片１ａ３５および第２回動式半円弧状閉塞部片１ａ３６と同様に構成されており、第１回動式半円弧状閉塞部片１ｂ３５の半円弧状当接部と固定アゴ部１ｂの半円弧状係合部１ｂ３１との間で可動アゴ部側連結ピン２ｂを挟んで支持している場合、第２回動式半円弧状閉塞部片１ｂ３６における回動ピン１ｂ３７と回動軸１ｂ３４との間の内側面が半円弧状係合部１ｂ３１の外周面に当接して、半円弧状係合部１ｂ３１を介して連結ピン２ｂにかかる力を受けるように構成されている。
【００２４】
そして、本実施形態の可動側フック板１ｂ３には、図２〜図４等に示すように、可動アゴ部１ｂの可動アゴ部側ピン収容部１ｂ３０の開口部外側に設けられ、この建設機械で取り付ける各種アタッチメントの内、固定アゴ部側連結ピン２ａと可動アゴ部側連結ピン２ｂ間のピン間隔が最小の可動アゴ部側連結ピン２ｂおよび最大の可動アゴ部側連結ピン２ｂでも当接して、当該可動アゴ部側連結ピン２ｂが可動アゴ部側ピン収容部１ｂ３０に収容されるまで案内する可動アゴ部側連結ピン案内面１ｂ３９を設けている。
【００２５】
ここで、可動アゴ部側連結ピン案内面１ｂ３９の長さは、この建設機械で取り付ける各種アタッチメントの内、固定アゴ部側連結ピン２ａと可動アゴ部側連結ピン２ｂ間のピン間隔が最小および最大のアタッチメントの場合でも、後述するようにアタッチメント取り付け時に可動アゴ部側連結ピン２ｂが可動アゴ部側連結ピン案内面１ｂ３９に当接するような長さを確保しておく。
【００２６】
＜建設機械のアタッチメント取付け冶具１を使用したアタッチメントの取付け方法＞
次に、以上のように構成された実施形態の建設機械のアタッチメント取付け冶具１を使用して、この建設機械で取り付ける各種アタッチメントの内、固定アゴ部側連結ピン２ａと可動アゴ部側連結ピン２ｂ間のピン間隔が例えば、３２０ｍｍ程度の最小のバケット２’と、ピン間隔が例えば、５８０ｍｍ程度の最大の破砕機２”とを取り付ける場合について説明する。
【００２７】
（ピン間隔が最小のバケット２’を取り付ける場合）
まず、作業者は、この建設機械のバケットシリンダ３ｂを動作させてピストン３ｂ１（図１参照。）を繰り出し、図９に示すように、固定アゴ部１ａに対し可動アゴ部１ｂを閉じて、ストッパー１ｄの閉じ過ぎ防止部１ｄ１に可動アゴ部１ｂの可動側連結板１ｂ１における回動軸１ｃ近傍の下端部を当接させると共に、アームシリンダ（図示せず。）やブームシリンダ（図示せず。）等を駆動して作動アーム３ａを移動させて実施形態のアタッチメント取付け冶具１をバケット２に近付け、固定アゴ部１ａの固定側フック板１ａ３の半円弧状係合部１ａ３１にバケット２’の固定アゴ部側連結ピン２ａに係合して、固定アゴ部側ピン収容部１ａ３０にアゴ部側連結ピン２ａを収容させる。
【００２８】
次に、作業者は固定アゴ部側ピン収容部１ａ３０にバケット２’の固定アゴ部側連結ピン２ａに係合した状態でアームシリンダ（図示せず。）やブームシリンダ（図示せず。）等を駆動してバケット２’を引き上げたり、ストッパー１ｄの閉じ過ぎ防止部１ｄ１を可動アゴ部１ｂの可動側連結板１ｂ１における回動軸１ｃ近傍の下端部を当接させたたまま作動アーム３ａ全体を回転させる等して可動アゴ部１ｂ側を降下させる。
【００２９】
すると、本実施形態の建設機械のアタッチメント取付け冶具１では、図１０に示すように可動アゴ部１ｂの可動アゴ部側連結ピン案内面１ｂ３９の基端側、すなわち可動アゴ部側ピン収容部１ｂ３０に近い側にバケット２’の可動アゴ部側連結ピン２ｂが当接する。
【００３０】
そのため、本実施形態の建設機械のアタッチメント取付け冶具１では、作業者は、この建設機械のバケットシリンダ３ｂ等を動作させてピストン３ｂ１（図１参照。）等を引き戻し、固定アゴ部１ａに対し可動アゴ部１ｂを開いて、ストッパー１ｄの閉じ過ぎ防止部１ｄ１から可動アゴ部１ｂの可動側連結板１ｂ１における回動軸１ｃ近傍の下端部を離間させる。
【００３１】
すると、ピン間の間隔が最小のバケット２’を取り付ける場合であるため、本実施形態の建設機械のアタッチメント取付け冶具１では、バケット２’の可動アゴ部側連結ピン２ｂが可動アゴ部１ｂの可動アゴ部側連結ピン案内面１ｂ３９に当接しながら固定アゴ部１ａに対し可動アゴ部１ｂが開き、最終的には図１１に示すように可動アゴ部１ｂの可動アゴ部側ピン収容部１ｂ３０に収容される。
【００３２】
これにより、バケット２’の固定アゴ部側連結ピン２ａは固定アゴ部１ａの固定アゴ部側ピン収容部１ａ３０に収容される一方、バケット２’の可動アゴ部側連結ピン２ｂは可動アゴ部１ｂの可動アゴ部側ピン収容部１ｂ３０に収容されることになる。
【００３３】
その後、作業者は、特許文献４である特許第６２１１３２４号公報に開示された発明と同様に、固定側フック板１ａ３および可動側フック板１ｂ３のロックピン用抜差し孔１ａ３２，１ｂ３２それぞれから抜差し式ロックピン１ａ３３，１ｂ３３を引き抜き、固定アゴ部１ａのハンドル１ａ３８を図９上、時計回りに回す一方、可動アゴ部１ｂのハンドル１ｂ３８を図９上、反時計回りに回して、固定アゴ部１ａおよび可動アゴ部１ｂそれぞれの回動軸１ａ３４，１ｂ３４を介して第１回動式半円弧状閉塞部片１ａ３５，１ｂ３５および第２回動式半円弧状閉塞部片１ａ３６，１ｂ３６を回動し、図１２に示すように半円弧状係合部１ａ３１と半円弧状係合部１ｂ３１の開放端側を塞ぐ。
【００３４】
最後に、作業者は、図１２に示すように固定側フック板１ａ３および可動側フック板１ｂ３のロックピン用抜差し孔１ａ３２，１ｂ３２それぞれに抜差し式ロックピン１ａ３３，１ｂ３３を差し入れて第１回動式半円弧状閉塞部片１ａ３５，１ｂ３５および第２回動式半円弧状閉塞部片１ａ３６，１ｂ３６の回動をロックして、第１回動式半円弧状閉塞部片１ａ３５，１ｂ３５および第２回動式半円弧状閉塞部片１ａ３６，１ｂ３６による固定アゴ部側連結ピン２ａ，２ｂの支持状態をロックすることができる。
【００３５】
これでこの建設機械では、本実施形態の建設機械のアタッチメント取付け冶具１によって取り付け固定したバケット２’を、従来技術のように固定アゴ部１ａに対する可動アゴ部１ｂの開き動作やその開き角度等を規制するネジや油圧シリンダ３ｂ等の規制機構を設けることなく使用することができる。
【００３６】
（ピン間隔が最大の破砕機２”を取り付ける場合）
ピン間隔が最大の破砕機２”を取り付ける場合も、まず、作業者は、この建設機械のバケットシリンダ３ｂを動作させてピストン３ｂ１（図１参照。）を繰り出し、図９に示す場合と同様に、図１３に示すように固定アゴ部１ａに対し可動アゴ部１ｂを閉じて、ストッパー１ｄの閉じ過ぎ防止部１ｄ１に可動アゴ部１ｂの可動側連結板１ｂ１における回動軸１ｃ近傍の下端部を当接させると共に、アームシリンダ（図示せず。）やブームシリンダ（図示せず。）等を駆動して作動アーム３ａを移動させて実施形態のアタッチメント取付け冶具１をバケット２に近付け、固定アゴ部１ａの固定側フック板１ａ３の半円弧状係合部１ａ３１に破砕機２”の固定アゴ部側連結ピン２ａに係合して、固定アゴ部側ピン収容部１ａ３０にアゴ部側連結ピン２ａを収容させる。
【００３７】
そして作業者は固定アゴ部側ピン収容部１ａ３０に破砕機２”の固定アゴ部側連結ピン２ａに係合した状態でアームシリンダ（図示せず。）やブームシリンダ（図示せず。）等を駆動して破砕機２”を引き上げたり、ストッパー１ｄの閉じ過ぎ防止部１ｄ１を可動アゴ部１ｂの可動側連結板１ｂ１における回動軸１ｃ近傍の下端部を当接させたたまま作動アーム３ａ全体を回転させる等して可動アゴ部１ｂ側を降下させる。
【００３８】
すると、ピン間隔が最大の破砕機２”を取り付ける場合であるため、本実施形態の建設機械のアタッチメント取付け冶具１では、図１４に示すように可動アゴ部１ｂの可動アゴ部側連結ピン案内面１ｂ３９の先端側、すなわち可動アゴ部側ピン収容部１ｂ３０から遠い側に破砕機２”の可動アゴ部側連結ピン２ｂが当接する。
【００３９】
そのため、本実施形態の建設機械のアタッチメント取付け冶具１では、作業者は、この建設機械のバケットシリンダ３ｂ等を動作させてピストン３ｂ１（図１参照。）等を引き戻し、固定アゴ部１ａに対し可動アゴ部１ｂを開いて、ストッパー１ｄの閉じ過ぎ防止部１ｄ１から可動アゴ部１ｂの可動側連結板１ｂ１における回動軸１ｃ近傍の下端部を離間させる。
【００４０】
すると、本実施形態の建設機械のアタッチメント取付け冶具１では、破砕機２”の可動アゴ部側連結ピン２ｂが可動アゴ部１ｂの可動アゴ部側連結ピン案内面１ｂ３９に当接しながら固定アゴ部１ａに対し可動アゴ部１ｂが開き、最終的には図１５に示すように可動アゴ部１ｂの可動アゴ部側ピン収容部１ｂ３０に収容される。
【００４１】
これにより、破砕機２”の固定アゴ部側連結ピン２ａは固定アゴ部１ａの固定アゴ部側ピン収容部１ａ３０に収容される一方、破砕機２”の可動アゴ部側連結ピン２ｂは可動アゴ部１ｂの可動アゴ部側ピン収容部１ｂ３０に収容されることになる。
【００４２】
その後、作業者は、特許文献４である特許第６２１１３２４号公報に開示された発明と同様に、固定側フック板１ａ３および可動側フック板１ｂ３のロックピン用抜差し孔１ａ３２，１ｂ３２それぞれから抜差し式ロックピン１ａ３３，１ｂ３３を引き抜き、固定アゴ部１ａのハンドル１ａ３８を図９上、時計回りに回す一方、可動アゴ部１ｂのハンドル１ｂ３８を図９上、反時計回りに回して、固定アゴ部１ａおよび可動アゴ部１ｂそれぞれの回動軸１ａ３４，１ｂ３４を介して第１回動式半円弧状閉塞部片１ａ３５，１ｂ３５および第２回動式半円弧状閉塞部片１ａ３６，１ｂ３６を回動し、図１６に示すように半円弧状係合部１ａ３１と半円弧状係合部１ｂ３１の開放端側を塞ぐ。
【００４３】
最後に、作業者は、図１６に示すように固定側フック板１ａ３および可動側フック板１ｂ３のロックピン用抜差し孔１ａ３２，１ｂ３２それぞれに抜差し式ロックピン１ａ３３，１ｂ３３を差し入れて固定アゴ部１ａおよび可動アゴ部１ｂそれぞれの第１回動式半円弧状閉塞部片１ａ３５，１ｂ３５および第２回動式半円弧状閉塞部片１ａ３６，１ｂ３６の回動をロックして、固定アゴ部１ａおよび可動アゴ部１ｂそれぞれの第１回動式半円弧状閉塞部片１ａ３５，１ｂ３５および第２回動式半円弧状閉塞部片１ａ３６，１ｂ３６による固定アゴ部側連結ピン２ａ，２ｂの支持状態をロックすることができる。
【００４４】
これでこの建設機械では、本実施形態の建設機械のアタッチメント取付け冶具１によって取り付け、固定したピン間隔が最大の破砕機２”も、従来技術のように固定アゴ部１ａに対する可動アゴ部１ｂの開き動作やその開き角度等を規制するネジや油圧シリンダ３ｂ等の規制機構を設けることなく使用することができる。
【００４５】
その結果、実施形態の建設機械のアタッチメント取付け冶具１によれば、固定アゴ部側連結ピン２ａと可動アゴ部側連結ピン２ｂ間のピン間隔が最小であるバケット２’のピン間隔と、最大の破砕機２” のピン間隔との間のアタッチメントでも、固定アゴ部１ａに対する可動アゴ部１ｂの開き動作やその開き角度等を規制するネジや油圧シリンダ３ｂ等の規制機構を設けることなく上記と同様に連結およびロックして使用することができる。
【００４６】
＜本実施形態の建設機械のアタッチメント取付け冶具１の主な効果＞
以上説明したように、本実施形態の建設機械のアタッチメント取付け冶具１では、可動アゴ部１ｂの可動アゴ側ピン収容部１ｂ３０の開口部周囲に設けられ、可動アゴ部側連結ピン２ｂに当接して可動アゴ部側連結ピン２ｂが可動アゴ側ピン収容部１ｂ３０に収容されるまで案内する可動アゴ部側連結ピン案内面１ｂ３９と、固定アゴ部１ａの固定アゴ部側ピン収容部１ａ３０に固定アゴ部側連結ピン２ａを収容後、建設機械の作動アーム３ａに設けられた油圧シリンダ等の動作により可動アゴ部１ｂを可動アゴ部側連結ピン２ｂに近付けて当該可動アゴ部１ｂの可動アゴ側ピン収容部１ｂ３０に可動アゴ部側連結ピン２ｂを収容させる際、建設機械で取り付ける各種アタッチメントの内、固定アゴ部側連結ピン２ａと可動アゴ部側連結ピン２ｂ間のピン間隔が最小の可動アゴ部側連結ピン２ｂでも、あるいはそのピン間隔が最大の可動アゴ部側連結ピン２ｂでも、可動アゴ部側連結ピン２ｂが可動アゴ部側連結ピン案内面１ｂ３９に当接するように固定アゴ部１ａに対する可動アゴ部１ｂの閉じ過ぎを防止するストッパー１ｄの閉じ過ぎ防止部１ｄ１とを有する。
【００４７】
そのため、本実施形態の建設機械のアタッチメント取付け冶具１では、固定アゴ部１ａに対する可動アゴ部１ｂの開き動作やその開き角度等を規制するネジや油圧シリンダ３ｂ等の規制機構が不要でコストを削減できる共に、固定アゴ部１ａと可動アゴ部１ｂから連結ピンが外れることを確実に防止でき、固定アゴ部１ａと可動アゴ部１ｂのピン収容部それぞれに連結ピンを収容することができる。
【００４８】
また、本実施形態の建設機械のアタッチメント取付け冶具１のストッパー１ｄには、固定アゴ部１ａと可動アゴ部１ｂとは、回動軸１ｃを介して回動可能に構成されているため、回動軸１ｃを介した固定アゴ部１ａに対する可動アゴ部１ｂの開き過ぎを防止する開き過ぎ防止部１ｄ２を設けている。
【００４９】
そのため、本実施形態の建設機械のアタッチメント取付け冶具１では、固定アゴ部１ａに対する可動アゴ部１ｂの開き動作やその開き角度等を規制するネジや油圧シリンダ３ｂ等の規制機構を設けなくても固定アゴ部１ａに対する可動アゴ部１ｂの開き過ぎも防止できるため、この点でコストを削減できると共に、アタッチメントの取り付け作業性を向上させることができる。
【００５０】
尚、上記実施形態の説明では、固定アゴ部１ａの固定側連結板１ａ１に設けた１つのストッパー１ｄの角部にそれぞれ本発明の閉じ過ぎ防止部１ｄ１と開き過ぎ防止部１ｄ２としての機能を持たせて説明したが、本発明では、これに限らず、例えば図１７（ａ），（ｂ）に示すように固定アゴ部１ａの固定側連結板１ａ１に閉じ過ぎ防止部１ｄ１’と開き過ぎ防止部１ｄ２’とを独立して設けて、回動軸１ｃを介した固定アゴ部１ａに対する可動アゴ部１ｂの閉じ過ぎや開き過ぎを防止するように構成しても良い。
【００５１】
また、開き過ぎ防止部１ｄ２’は図１７（ａ），（ｂ）に示す場合と同様に固定アゴ部１ａの固定側連結板１ａ１に設ける一方、例えば、図１８に示すように固定アゴ部１ａの固定側フック板１ａ３における可動アゴ部１ｂの可動側フック板１ｂ３に対向する部分を膨出させて閉じ過ぎ防止部１ｄ１”とし、固定アゴ部１ａの半円弧状係合部１ａ３１の内側である固定アゴ部側ピン収容部１ａ３０に固定アゴ部側連結ピン２ａを収容後、建設機械の作動アーム３ａに設けられたバケットシリンダ３ｂの動作により可動アゴ部１ｂを可動アゴ部側連結ピン１ｂに近付けて当該可動アゴ部１ｂの後述する半円弧状係合部１ｂ３１の内側である可動アゴ部側ピン収容部１ｂ３０に可動アゴ部側連結ピン２ｂを収容させる際、図１８に示すように固定アゴ部１ａの固定側フック板１ａ３における可動アゴ部１ｂの可動側フック板１ｂ３に対向する膨出部分である閉じ過ぎ防止部１ｄ１”が可動アゴ部１ｂの可動側連結板１ｂ１に当接して、この建設機械で取り付ける各種アタッチメントの内、ピン間隔が最小の可動アゴ部側連結ピン２ｂおよび最大の可動アゴ部側連結ピン２ｂでも、可動アゴ部側連結ピン２ｂが可動アゴ部側連結ピン案内面１ｂ３９に当接するように構成しても良いし、図示しないが可動アゴ部１ｂの可動側フック板１ｂ３における固定アゴ部１ａの固定側フック板１ａ３に対向する部分を膨出させて閉じ過ぎ防止部１ｄ１”としても勿論良い。
【００５２】
また、上記実施形態の説明では、閉じ過ぎ防止部１ｄ１と開き過ぎ防止部１ｄ２を設けて説明したが、本発明ではこれに限らず、建設機械の作動アーム３ａのバケットシリンダ３ｂやアームシリンダ（図示せず。）、ブームシリンダ（図示せず。）等によって回動軸１ｃを介した固定アゴ部１ａに対する可動アゴ部１ｂの開き過ぎを防止できる場合には、開き過ぎ防止部１ｄ２は省略しても良い。
【００５３】
また、上記実施形態の説明では、固定アゴ部側ピン収容部１ａ３０を塞ぐ固定アゴ部側閉塞部は２段式の第１回動式半円弧状閉塞部片１ａ３５および第２回動式半円弧状閉塞部片１ａ３６、可動アゴ部側ピン収容部１ｂ３０を塞ぐ可動アゴ部側閉塞部も２段式の第１回動式半円弧状閉塞部片１ｂ３５および第２回動式半円弧状閉塞部片１ｂ３６によって構成して説明したが、本発明では固定アゴ部側ピン収容部１ａ３０および可動アゴ部側ピン収容部１ｂ３０それぞれを塞ぐ固定アゴ部側閉塞部および可動アゴ部側閉塞部の方式は特に拘らず、例えば、回動軸を介し回動して固定アゴ部側ピン収容部１ａ３０および可動アゴ部側ピン収容部１ｂ３０それぞれを塞ぐ１段式の閉塞部片でも良いし、断面がほぼ半円形状で固定アゴ部側ピン収容部１ａ３０および可動アゴ部側ピン収容部１ｂ３０に沿って回動することによって固定アゴ部側ピン収容部１ａ３０および可動アゴ部側ピン収容部１ｂ３０を塞ぐ筒状の閉塞体等を設け、固定アゴ部側ピン収容部１ａ３０および可動アゴ部側ピン収容部１ｂ３０を塞ぐように構成しても勿論良い。
【００５４】
また、上記実施形態の説明では、固定アゴ部１ａと可動アゴ部１ｂとは回動軸１ｃを介して回動して開閉するように説明したが、本発明では、これに限らず、例えば、特許第６２１１３２４号公報に開示したスライド式で固定アゴ部１ａと可動アゴ部１ｂとが開閉するアタッチメント取付け冶具にも適用可能である。
【符号の説明】
【００５５】
１  アタッチメント取付け冶具
１ａ  固定アゴ部
１ａ１  固定側連結板
１ａ２  固定側水平基板
１ａ３  固定側フック板
１ａ３０  固定アゴ部側ピン収容部
１ａ３１  半円弧状係合部
１ａ３２  ロックピン用抜差し孔
１ａ３３  抜差し式ロックピン
１ａ３５  第１回動式半円弧状閉塞部片（固定アゴ部側閉塞部）
１ａ３６  第２回動式半円弧状閉塞部片（固定アゴ部側閉塞部）
１ｂ  可動アゴ部
１ｂ１  可動側連結部
１ｂ２  スライド基板
１ｂ３  可動側フック板
１ｂ３０  可動アゴ部側ピン収容部
１ｂ３１  半円弧状係合部
１ｂ３２  ロックピン用抜差し孔
１ｂ３３  抜差し式ロックピン
１ｂ３５  第１回動式半円弧状閉塞部片（可動アゴ部側閉塞部）
１ｂ３６  第２回動式半円弧状閉塞部片（可動アゴ部側閉塞部）
１ｂ３９  可動アゴ部側連結ピン案内面
１ｃ  回動軸
１ｄ  ストッパー
１ｄ１，１ｄ１’，１ｄ１”  閉じ過ぎ防止部
１ｄ２，１ｄ２’  開き過ぎ防止部
２，２’  バケット（アタッチメント）
２”  破砕機（アタッチメント）
２ａ，２ｂ  連結ピン
３ａ  作動アーム
３ｂ  バケットシリンダ
３ｂ１  ピストン
３ｃ  可動アゴ連結リンク
３ｄ  アームリンク
【図１】
2019157545.tif 000003
【図２】
2019157545.tif 000004
【図３】
2019157545.tif 000005
【図４】
2019157545.tif 000006
【図５】
2019157545.tif 000007
【図６】
2019157545.tif 000008
【図７】
2019157545.tif 000009
【図８】
2019157545.tif 000010
【図９】
2019157545.tif 000011
【図１０】
2019157545.tif 000012
【図１１】
2019157545.tif 000013
【図１２】
2019157545.tif 000014
【図１３】
2019157545.tif 000015
【図１４】
2019157545.tif 000016
【図１５】
2019157545.tif 000017
【図１６】
2019157545.tif 000018
【図１７】
2019157545.tif 000019
【図１８】
2019157545.tif 000020
【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
バケット等の各種アタッチメントに所定間隔を空けて設けられた固定アゴ部側連結ピンと可動アゴ部側連結ピンそれぞれをパワーショベル等の建設機械の作動アーム先端部に取り付けられた固定アゴ部の固定アゴ部側ピン収容部と、前記建設機械の作動アームに設けられたバケットシリンダから伸縮するピストン先端部に可動アゴ連結リンクを介して取り付けられた可動アゴ部の可動アゴ部側ピン収容部とに収容させた後、前記固定アゴ部側ピン収容部の開口部と前記可動アゴ部側ピン収容部の開口部とをそれぞれ固定アゴ部側閉じ部と可動アゴ部側閉じ部とによって閉じてアタッチメントを取付ける建設機械のアタッチメント取付け冶具であって、
前記可動アゴ部の可動アゴ部側ピン収容部の開口部外側に設けられ、前記建設機械で取り付ける前記各種アタッチメントの内、前記固定アゴ部側連結ピンと前記可動アゴ部側連結ピンとのピン間隔が最小の可動アゴ部側連結ピンおよび最大の可動アゴ部側連結ピンでも当接して当該可動アゴ部側連結ピンが前記可動アゴ部側ピン収容部に収容されるまで案内する可動アゴ部側連結ピン案内面と、
前記固定アゴ部の固定アゴ部側ピン収容部に前記固定アゴ部側連結ピンを収容後、前記建設機械の油圧シリンダ等の作動により前記可動アゴ部を前記可動アゴ部側連結ピンに近付けて当該可動アゴ部の可動アゴ部側ピン収容部に前記可動アゴ部側連結ピンを収容させる際、前記建設機械で取り付ける前記各種アタッチメントの内、前記固定アゴ部側連結ピンと前記可動アゴ部側連結ピンとのピン間隔が最小の可動アゴ部側連結ピンおよび最大の可動アゴ部側連結ピンでも、前記可動アゴ部側連結ピンが前記可動アゴ部側連結ピン案内面に当接するように前記固定アゴ部に対する前記可動アゴ部の閉じ過ぎを防止する閉じ過ぎ防止部と、
を有することを特徴とする建設機械のアタッチメント取付け冶具。
【請求項２】
請求項１記載の建設機械のアタッチメント取付け冶具において、
前記固定アゴ部と前記可動アゴ部とは、回動軸を介して回動可能に構成されていると共に、前記回動軸を介して前記固定アゴ部の固定アゴ部側ピン収容部に対する前記可動アゴ部の可動アゴ部側ピン収容部の開き過ぎを防止する開き過ぎ防止部を設けており、前記建設機械の作動アームに取り付けられたバケットシリンダによって前記回動軸を介して前記固定アゴ部と前記可動アゴ部とが回動して前記固定アゴ部側ピン収容部と前記可動アゴ部側ピン収容部との間隔が狭くなったり拡がり、前記固定アゴ部側ピン収容部に前記固定アゴ部側連結ピンが収容され、前記可動アゴ部側ピン収容部に前記可動アゴ部側連結ピンが収容できることを特徴とする建設機械のアタッチメント取付け冶具。
【請求項３】
請求項２記載の建設機械のアタッチメント取付け冶具において、
前記閉じ過ぎ防止部は、前記固定アゴ部における前記回動軸に近い位置に溶接され、前記可動アゴ部の前記回動軸に近い基部が当接するストッパーの一部であり、前記可動アゴ部の前記回動軸に近い基部が前記固定アゴ部の前記ストッパーに当接した状態で、前記固定アゴ部の固定アゴ部側ピン収容部に前記固定アゴ部側連結ピンを収容後、前記建設機械の油圧シリンダ等の作動により前記可動アゴ部を前記可動アゴ部側連結ピンに近付けて当該可動アゴ部の可動アゴ部側ピン収容部に前記可動アゴ部側連結ピンを収容させた場合には、前記建設機械で取り付ける前記各種アタッチメントの内、前記固定アゴ部側連結ピンと前記可動アゴ部側連結ピンとのピン間隔が最小の可動アゴ部側連結ピンおよび最大の可動アゴ部側連結ピンでも、前記可動アゴ部側連結ピンが前記可動アゴ部側連結ピン案内面に当接することを特徴とする建設機械のアタッチメント取付け冶具。
【請求項４】
請求項２記載の建設機械のアタッチメント取付け冶具において、
前記閉じ過ぎ防止部は、前記固定アゴ部と前記可動アゴ部の対向する腹部であり、前記固定アゴ部の腹部と前記可動アゴ部の腹部とが当接した状態で、前記固定アゴ部の固定アゴ部側ピン収容部に前記固定アゴ部側連結ピンを収容後、前記建設機械の油圧シリンダ等の作動により前記可動アゴ部を前記可動アゴ部側連結ピンに近付けて当該可動アゴ部の可動アゴ部側ピン収容部に前記可動アゴ部側連結ピンを収容させた場合には、前記建設機械で取り付ける前記各種アタッチメントの内、前記固定アゴ部側連結ピンと前記可動アゴ部側連結ピンとのピン間隔が最小の可動アゴ部側連結ピンおよび最大の可動アゴ部側連結ピンでも、前記可動アゴ部側連結ピンが前記可動アゴ部側連結ピン案内面に当接することを特徴とする建設機械のアタッチメント取付け冶具。
【請求項５】
請求項１〜請求項４記載の建設機械のアタッチメント取付け冶具を備えたことを特徴とする建設機械。
【手続補正２】
【補正対象書類名】明細書
【補正対象項目名】０００２
【補正方法】変更
【補正の内容】
【０００２】
従来より、パワーショベル等の建設機械のアタッチメント取付け冶具として、バケット等のアタッチメントに所定間隔を空けて設けられた２本の連結ピンにそれぞれ一端開放の固定アゴ部と可動アゴ部とを係合させた後、規制材とコイルばね等により固定アゴ部から可動アゴ部が離れるように付勢する機構や（例えば、特許文献１参照。）、ネジ等を駆動させることによって可動アゴ部を固定アゴ部から離れるように付勢したり（例えば、特許文献２参照。）、さらには専用のバケットシリンダによって可動アゴ部を固定アゴ部から離れるように付勢する機構（例えば、特許文献３参照。）や、可動アゴ部と固定アゴ部のピン収容部を固定アゴ部側閉じ部と可動アゴ部側閉じ部とによって閉じるように構成したものも提案されている（例えば、特許文献４参照。）。
【手続補正３】
【補正対象書類名】明細書
【補正対象項目名】０００６
【補正方法】変更
【補正の内容】
【０００６】
また、特許文献４に記載の建設機械のアタッチメント取付け冶具では、固定アゴ部と可動アゴ部の開口部を、それぞれ、固定アゴ部側閉じ部と可動アゴ部側閉じ部とによって閉じるように構成されていているため、連結ピンが外れるおそれはないものの、熟練者でない場合には、固定アゴ部と可動アゴ部のピン収容部それぞれに連結ピンを収容することが困難であるという問題があった。
【手続補正４】
【補正対象書類名】明細書
【補正対象項目名】０００８
【補正方法】変更
【補正の内容】
【０００８】
前記課題を解決するため、本発明に係る建設機械のアタッチメント取付け冶具は、バケット等の各種アタッチメントに所定間隔を空けて設けられた固定アゴ部側連結ピンと可動アゴ部側連結ピンそれぞれをパワーショベル等の建設機械の作動アーム先端部に取り付けられた固定アゴ部の固定アゴ部側ピン収容部と、前記建設機械の作動アームに設けられたバケットシリンダから伸縮するピストン先端部に可動アゴ連結リンクを介して取り付けられた可動アゴ部の可動アゴ部側ピン収容部とに収容させた後、前記固定アゴ部側ピン収容部の開口部と前記可動アゴ部側ピン収容部の開口部とをそれぞれ固定アゴ部側閉じ部と可動アゴ部側閉じ部とによって閉じてアタッチメントを取付ける建設機械のアタッチメント取付け冶具であって、前記可動アゴ部の可動アゴ部側ピン収容部の開口部外側に設けられ、前記建設機械で取り付ける前記各種アタッチメントの内、前記固定アゴ部側連結ピンと前記可動アゴ部側連結ピンとのピン間隔が最小の可動アゴ部側連結ピンおよび最大の可動アゴ部側連結ピンでも当接して当該可動アゴ部側連結ピンが前記可動アゴ部側ピン収容部に収容されるまで案内する可動アゴ部側連結ピン案内面と、前記固定アゴ部の固定アゴ部側ピン収容部に前記固定アゴ部側連結ピンを収容後、前記建設機械の油圧シリンダ等の作動により前記可動アゴ部を前記可動アゴ部側連結ピンに近付けて当該可動アゴ部の可動アゴ部側ピン収容部に前記可動アゴ部側連結ピンを収容させる際、前記建設機械で取り付ける前記各種アタッチメントの内、前記固定アゴ部側連結ピンと前記可動アゴ部側連結ピンとのピン間隔が最小の可動アゴ部側連結ピンおよび最大の可動アゴ部側連結ピンでも、前記可動アゴ部側連結ピンが前記可動アゴ部側連結ピン案内面に当接するように前記固定アゴ部に対する前記可動アゴ部の閉じ過ぎを防止する閉じ過ぎ防止部とを有することを特徴とする。
また、本発明に係る建設機械のアタッチメント取付け冶具では、前記固定アゴ部と前記可動アゴ部とは、回動軸を介して回動可能に構成されていると共に、前記回動軸を介して前記固定アゴ部の固定アゴ部側ピン収容部に対する前記可動アゴ部の可動アゴ部側ピン収容部の開き過ぎを防止する開き過ぎ防止部を設けており、前記建設機械の作動アームに取り付けられたバケットシリンダによって前記回動軸を介して前記固定アゴ部と前記可動アゴ部とが回動して前記固定アゴ部側ピン収容部と前記可動アゴ部側ピン収容部との間隔が狭くなったり拡がり、前記固定アゴ部側ピン収容部に前記固定アゴ部側連結ピンが収容され、前記可動アゴ部側ピン収容部に前記可動アゴ部側連結ピンが収容できることも特徴とする。
また、本発明に係る建設機械のアタッチメント取付け冶具では、建設機械のアタッチメント取付け冶具において、前記閉じ過ぎ防止部は、前記固定アゴ部における前記回動軸に近い位置に溶接され、前記可動アゴ部の前記回動軸に近い基部が当接するストッパーの一部であり、前記可動アゴ部の前記回動軸に近い基部が前記固定アゴ部の前記ストッパーに当接した状態で、前記固定アゴ部の固定アゴ部側ピン収容部に前記固定アゴ部側連結ピンを収容後、前記建設機械の油圧シリンダ等の作動により前記可動アゴ部を前記可動アゴ部側連結ピンに近付けて当該可動アゴ部の可動アゴ部側ピン収容部に前記可動アゴ部側連結ピンを収容させた場合には、前記建設機械で取り付ける前記各種アタッチメントの内、前記固定アゴ部側連結ピンと前記可動アゴ部側連結ピンとのピン間隔が最小の可動アゴ部側連結ピンおよび最大の可動アゴ部側連結ピンでも、前記可動アゴ部側連結ピンが前記可動アゴ部側連結ピン案内面に当接することも特徴とする。
また、本発明に係る建設機械のアタッチメント取付け冶具では、前記閉じ過ぎ防止部は、前記固定アゴ部と前記可動アゴ部の対向する腹部であり、前記固定アゴ部の腹部と前記可動アゴ部の腹部とが当接した状態で、前記固定アゴ部の固定アゴ部側ピン収容部に前記固定アゴ部側連結ピンを収容後、前記建設機械の油圧シリンダ等の作動により前記可動アゴ部を前記可動アゴ部側連結ピンに近付けて当該可動アゴ部の可動アゴ部側ピン収容部に前記可動アゴ部側連結ピンを収容させた場合には、前記建設機械で取り付ける前記各種アタッチメントの内、前記固定アゴ部側連結ピンと前記可動アゴ部側連結ピンとのピン間隔が最小の可動アゴ部側連結ピンおよび最大の可動アゴ部側連結ピンでも、前記可動アゴ部側連結ピンが前記可動アゴ部側連結ピン案内面に当接することも特徴とする。
また、本発明に係る建設機械は、上述のいずれかの建設機械のバケット取付け構造を備えたことを特徴とする。
【手続補正５】
【補正対象書類名】明細書
【補正対象項目名】００１０
【補正方法】変更
【補正の内容】
【００１０】
【図１】本発明に係る実施形態の建設機械のアタッチメント取付け冶具を介して作動アームにバケットを取付ける際の状態を示す正面図である。
【図２】本発明に係る実施形態の建設機械のアタッチメント取付け冶具の平面図である。
【図３】本発明に係る実施形態の建設機械のアタッチメント取付け冶具の底面図である。
【図４】本発明に係る実施形態の建設機械のアタッチメント取付け冶具の正面図である。
【図５】本発明に係る実施形態の建設機械のアタッチメント取付け冶具の断面図である。
【図６】本発明に係る実施形態の建設機械のアタッチメント取付け冶具において固定アゴ部側ピン収容部および可動アゴ部側ピン収容部の開口部をそれぞれ固定アゴ部側閉じ部と可動アゴ部側閉じ部とによって閉じた状態を示す断面図である。
【図７】本発明に係る実施形態の建設機械のアタッチメント取付け冶具において可動アゴ部に設けたストッパーの閉じ過ぎ防止部が固定アゴ部に当接して固定アゴ部に対する可動アゴ部の閉じ過ぎを防止している状態を示す要部切欠正面図である。
【図８】本発明に係る実施形態の建設機械のアタッチメント取付け冶具において可動アゴ部に設けたストッパーの開き過ぎ防止部が固定アゴ部に当接して固定アゴ部に対する可動アゴ部の開き過ぎを防止している状態を示す要部切欠正面図である。
【図９】本発明に係る実施形態の建設機械のアタッチメント取付け冶具によってピン間隔が小さいアタッチメント（例えば、バケット。）の固定アゴ部の固定アゴ部側ピン収容部に固定アゴ部側連結ピンを収容した状態を示す正面図である。
【図１０】本発明に係る実施形態の建設機械のアタッチメント取付け冶具によってピン間隔が小さいアタッチメント（例えば、バケット。）の固定アゴ部の固定アゴ部側ピン収容部に固定アゴ部側連結ピンを収容後、バケットシリンダの作動によって可動アゴ部を可動アゴ部側連結ピンに近付けて、可動アゴ部の可動アゴ部側連結ピン案内面を可動アゴ部側連結ピンに当接させた状態を示す正面図である。
【図１１】本発明に係る実施形態の建設機械のアタッチメント取付け冶具によってピン間隔が小さいアタッチメント（例えば、バケット。）の固定アゴ部の固定アゴ部側ピン収容部に固定アゴ部側連結ピンを収容後、バケットシリンダの作動によって可動アゴ部の可動アゴ部側連結ピン案内面を可動アゴ部側連結ピンに当接させ、可動アゴ部の可動アゴ部側ピン収容部に可動アゴ部側連結ピンを収容した状態を示す正面図である。
【図１２】本発明に係る実施形態の建設機械のアタッチメント取付け冶具によってピン間隔が小さいアタッチメント（例えば、バケット。）の固定アゴ部の固定アゴ部側ピン収容部に固定アゴ部側連結ピンを収容すると共に、バケットシリンダの動作によって可動アゴ部の可動アゴ部側ピン収容部に可動アゴ部側連結ピンを収容した後、それぞれ固定アゴ部側閉じ部と可動アゴ部側閉じ部とによって閉じた状態を示す断面図である。
【図１３】本発明に係る実施形態の建設機械のアタッチメント取付け冶具によってピン間隔が大きいアタッチメント（例えば、破砕機。）の固定アゴ部の固定アゴ部側ピン収容部に固定アゴ部側連結ピンを収容した状態を示す正面図である。
【図１４】本発明に係る実施形態の建設機械のアタッチメント取付け冶具によってピン間隔が大きいアタッチメント（例えば、破砕機。）の固定アゴ部の固定アゴ部側ピン収容部に固定アゴ部側連結ピンを収容後、バケットシリンダの作動によって可動アゴ部を可動アゴ部側連結ピンに近付けて、可動アゴ部の可動アゴ部側連結ピン案内面を可動アゴ部側連結ピンに当接させた状態を示す正面図である。
【図１５】本発明に係る実施形態の建設機械のアタッチメント取付け冶具によってピン間隔が大きいアタッチメント（例えば、破砕機。）の固定アゴ部の固定アゴ部側ピン収容部に固定アゴ部側連結ピンを収容後、バケットシリンダの作動によって可動アゴ部の可動アゴ部側連結ピン案内面を可動アゴ部側連結ピンに当接させ、可動アゴ部の可動アゴ部側ピン収容部に可動アゴ部側連結ピンを収容した状態を示す正面図である。
【図１６】本発明に係る実施形態の建設機械のアタッチメント取付け冶具によってピン間隔が大きいアタッチメント（例えば、破砕機。）の固定アゴ部の固定アゴ部側ピン収容部に固定アゴ部側連結ピンを収容すると共に、バケットシリンダの動作によって可動アゴ部の可動アゴ部側ピン収容部に可動アゴ部側連結ピンを収容した後、それぞれ固定アゴ部側閉じ部と可動アゴ部側閉じ部とによって閉じた状態を示す断面図である。
【図１７】（ａ）,（ｂ）それぞれ本発明に係る実施形態の建設機械のアタッチメント取付け冶具を構成する閉じ過ぎ防止部と、開きすぎ防止部とを独立して設けた際の閉じ過ぎを防止した状態と、開き過ぎを防止した状態とを示す部分断面図である。
【図１８】本発明に係る実施形態の建設機械のアタッチメント取付け冶具を構成する開きすぎ防止部を設けると共に、閉じ過ぎ防止部の機能を固定アゴ部および可動アゴ部の腹部に持たせた状態を示す部分断面図である。
【手続補正６】
【補正対象書類名】明細書
【補正対象項目名】００１６
【補正方法】変更
【補正の内容】
【００１６】
固定側フック板１ａ３には、固定アゴ部側連結ピン２ａに係合する一端開放でかつ固定アゴ部側連結ピン２ａの外周面に応じたほぼ断面半円弧状で固定アゴ部側ピン収容部１ａ３０を形成する半円弧状係合部１ａ３１と、抜差し式ロックピン１ａ３３が挿入されるロックピン用抜差し孔１ａ３２と、回動ピン１ａ３７で回動可能に連結され、回動軸１ａ３４を介して回動することにより固定アゴ部側ピン収容部１ａ３０の開口部を閉じて固定アゴ部側連結ピン２ａを連結およびロックする本発明の固定アゴ部側閉じ部を構成する第１回動式半円弧状閉じ部片１ａ３５および第２回動式半円弧状閉じ部片１ａ３６と、ハンドル１ａ３８とが設けられている。
【手続補正７】
【補正対象書類名】明細書
【補正対象項目名】００１７
【補正方法】変更
【補正の内容】
【００１７】
つまり、第１回動式半円弧状閉じ部片１ａ３５は、後述するように基端側が回動ピン１ａ３７を介して第２回動式半円弧状閉じ部片１ａ３６の先端側に回動可能に連結される一方、先端側に固定アゴ部側連結ピン２ａの外周面に応じた半円弧状当接部１ａ３５ａを有し、その半円弧状当接部１ａ３５ａと固定アゴ部１ａの半円弧状係合部１ａ３１との間で固定アゴ部側連結ピン２ａを挟持して支持する。
【手続補正８】
【補正対象書類名】明細書
【補正対象項目名】００１８
【補正方法】変更
【補正の内容】
【００１８】
第２回動式半円弧状閉じ部片１ａ３６は、先端側が回動ピン１ａ３７を介して第１回動式半円弧状閉じ部片１ａ３５の基端側に回動可能に連結される一方、基端側が回動軸１ａ３４を介して固定アゴ部１ａに回動可能に取付けられている。そして、ロックピン用抜差し孔１ａ３２に抜差し式ロックピン１ａ３３が挿入され、第１回動式半円弧状閉じ部片１ａ３５の半円弧状当接部１ａ３５ａと固定アゴ部１ａの半円弧状係合部１ａ３１との間で固定アゴ部側連結ピン２ａを挟んで支持している場合、第２回動式半円弧状閉じ部片１ａ３６における回動ピン１ａ３７と回動軸１ａ３４との間の内側面１ａ３６ａが半円弧状係合部１ａ３１の外周面１ａ３１ａに当接して、半円弧状係合部１ａ３１を介して固定アゴ部側連結ピン２ａにかかる力を受ける。なお、このように固定アゴ部側連結ピン２ａを挟んで支持している場合、第１回動式半円弧状閉じ部片１ａ３５両側の端部と、固定アゴ部１ａの半円弧状係合部１ａ３１両側の端部とは接触していても、接触しなくてもどちらでも良いが、この実施形態では、後述する図８や図９に示すように第１回動式半円弧状閉じ部片１ａ３５の両端部と、固定アゴ部１ａの半円弧状係合部１ａ３１の両端部とは接触してなく、両端部間の内周面が固定アゴ部側連結ピン２ａをその両側から密接状態で確実に挟持する。
【手続補正９】
【補正対象書類名】明細書
【補正対象項目名】００２３
【補正方法】変更
【補正の内容】
【００２３】
可動側フック板１ｂ３には、可動アゴ部側連結ピン２ｂに係合する一端開放でかつ可動アゴ部側連結ピン２ｂの外周面に応じたほぼ断面半円弧状で固定アゴ部側ピン収容部１ｂ３０を形成する半円弧状係合部１ｂ３１と、ロックピン１ｂ３３が挿入されるロックピン用抜差し孔１ｂ３２と、回動ピン１ｂ３７で回動可能に連結され、回動軸１ｂ３４を介して回動することにより可動アゴ部側ピン収容部１ｂ３０の開口部を閉じて可動アゴ部側連結ピン２ｂを連結およびロックする本発明の可動アゴ部側閉じ部を構成する第１回動式半円弧状閉じ部片１ｂ３５および第２回動式半円弧状閉じ部片１ｂ３６と、ハンドル１ｂ３８とが設けられている。なお、可動側フック板１ｂ３側の第１回動式半円弧状閉じ部片１ｂ３５および第２回動式半円弧状閉じ部片１ｂ３６も、固定側フック板１ａ３側の第１回動式半円弧状閉じ部片１ａ３５および第２回動式半円弧状閉じ部片１ａ３６と同様に構成されており、第１回動式半円弧状閉じ部片１ｂ３５の半円弧状当接部と固定アゴ部１ｂの半円弧状係合部１ｂ３１との間で可動アゴ部側連結ピン２ｂを挟んで支持している場合、第２回動式半円弧状閉じ部片１ｂ３６における回動ピン１ｂ３７と回動軸１ｂ３４との間の内側面が半円弧状係合部１ｂ３１の外周面に当接して、半円弧状係合部１ｂ３１を介して連結ピン２ｂにかかる力を受けるように構成されている。
【手続補正１０】
【補正対象書類名】明細書
【補正対象項目名】００３３
【補正方法】変更
【補正の内容】
【００３３】
その後、作業者は、特許文献４である特許第６２１１３２４号公報に開示された発明と同様に、固定側フック板１ａ３および可動側フック板１ｂ３のロックピン用抜差し孔１ａ３２，１ｂ３２それぞれから抜差し式ロックピン１ａ３３，１ｂ３３を引き抜き、固定アゴ部１ａのハンドル１ａ３８を図９上、時計回りに回す一方、可動アゴ部１ｂのハンドル１ｂ３８を図９上、反時計回りに回して、固定アゴ部１ａおよび可動アゴ部１ｂそれぞれの回動軸１ａ３４，１ｂ３４を介して第１回動式半円弧状閉じ部片１ａ３５，１ｂ３５および第２回動式半円弧状閉じ部片１ａ３６，１ｂ３６を回動し、図１２に示すように半円弧状係合部１ａ３１と半円弧状係合部１ｂ３１の開放端側を閉じる。
【手続補正１１】
【補正対象書類名】明細書
【補正対象項目名】００３４
【補正方法】変更
【補正の内容】
【００３４】
最後に、作業者は、図１２に示すように固定側フック板１ａ３および可動側フック板１ｂ３のロックピン用抜差し孔１ａ３２，１ｂ３２それぞれに抜差し式ロックピン１ａ３３，１ｂ３３を差し入れて第１回動式半円弧状閉じ部片１ａ３５，１ｂ３５および第２回動式半円弧状閉じ部片１ａ３６，１ｂ３６の回動をロックして、第１回動式半円弧状閉じ部片１ａ３５，１ｂ３５および第２回動式半円弧状閉じ部片１ａ３６，１ｂ３６による固定アゴ部側連結ピン２ａ，２ｂの支持状態をロックすることができる。
【手続補正１２】
【補正対象書類名】明細書
【補正対象項目名】００４２
【補正方法】変更
【補正の内容】
【００４２】
その後、作業者は、特許文献４である特許第６２１１３２４号公報に開示された発明と同様に、固定側フック板１ａ３および可動側フック板１ｂ３のロックピン用抜差し孔１ａ３２，１ｂ３２それぞれから抜差し式ロックピン１ａ３３，１ｂ３３を引き抜き、固定アゴ部１ａのハンドル１ａ３８を図９上、時計回りに回す一方、可動アゴ部１ｂのハンドル１ｂ３８を図９上、反時計回りに回して、固定アゴ部１ａおよび可動アゴ部１ｂそれぞれの回動軸１ａ３４，１ｂ３４を介して第１回動式半円弧状閉じ部片１ａ３５，１ｂ３５および第２回動式半円弧状閉じ部片１ａ３６，１ｂ３６を回動し、図１６に示すように半円弧状係合部１ａ３１と半円弧状係合部１ｂ３１の開放端側を閉じる。
【手続補正１３】
【補正対象書類名】明細書
【補正対象項目名】００４３
【補正方法】変更
【補正の内容】
【００４３】
最後に、作業者は、図１６に示すように固定側フック板１ａ３および可動側フック板１ｂ３のロックピン用抜差し孔１ａ３２，１ｂ３２それぞれに抜差し式ロックピン１ａ３３，１ｂ３３を差し入れて固定アゴ部１ａおよび可動アゴ部１ｂそれぞれの第１回動式半円弧状閉じ部片１ａ３５，１ｂ３５および第２回動式半円弧状閉じ部片１ａ３６，１ｂ３６の回動をロックして、固定アゴ部１ａおよび可動アゴ部１ｂそれぞれの第１回動式半円弧状閉じ部片１ａ３５，１ｂ３５および第２回動式半円弧状閉じ部片１ａ３６，１ｂ３６による固定アゴ部側連結ピン２ａ，２ｂの支持状態をロックすることができる。
【手続補正１４】
【補正対象書類名】明細書
【補正対象項目名】００５３
【補正方法】変更
【補正の内容】
【００５３】
また、上記実施形態の説明では、固定アゴ部側ピン収容部１ａ３０を閉じる固定アゴ部側閉じ部は２段式の第１回動式半円弧状閉じ部片１ａ３５および第２回動式半円弧状閉じ部片１ａ３６、可動アゴ部側ピン収容部１ｂ３０を閉じる可動アゴ部側閉じ部も２段式の第１回動式半円弧状閉じ部片１ｂ３５および第２回動式半円弧状閉じ部片１ｂ３６によって構成して説明したが、本発明では固定アゴ部側ピン収容部１ａ３０および可動アゴ部側ピン収容部１ｂ３０それぞれを閉じる固定アゴ部側閉じ部および可動アゴ部側閉じ部の方式は特に拘らず、例えば、回動軸を介し回動して固定アゴ部側ピン収容部１ａ３０および可動アゴ部側ピン収容部１ｂ３０それぞれを閉じる１段式の閉じ部片でも良いし、断面がほぼ半円形状で固定アゴ部側ピン収容部１ａ３０および可動アゴ部側ピン収容部１ｂ３０に沿って回動することによって固定アゴ部側ピン収容部１ａ３０および可動アゴ部側ピン収容部１ｂ３０を閉じる筒状の閉じ体等を設け、固定アゴ部側ピン収容部１ａ３０および可動アゴ部側ピン収容部１ｂ３０を閉じるように構成しても勿論良い。
【手続補正１５】
【補正対象書類名】明細書
【補正対象項目名】００５５
【補正方法】変更
【補正の内容】
【００５５】
１  アタッチメント取付け冶具
１ａ  固定アゴ部
１ａ１  固定側連結板
１ａ２  固定側水平基板
１ａ３  固定側フック板
１ａ３０  固定アゴ部側ピン収容部
１ａ３１  半円弧状係合部
１ａ３２  ロックピン用抜差し孔
１ａ３３  抜差し式ロックピン
１ａ３５  第１回動式半円弧状閉じ部片（固定アゴ部側閉じ部）
１ａ３６  第２回動式半円弧状閉じ部片（固定アゴ部側閉じ部）
１ｂ  可動アゴ部
１ｂ１  可動側連結部
１ｂ２  スライド基板
１ｂ３  可動側フック板
１ｂ３０  可動アゴ部側ピン収容部
１ｂ３１  半円弧状係合部
１ｂ３２  ロックピン用抜差し孔
１ｂ３３  抜差し式ロックピン
１ｂ３５  第１回動式半円弧状閉じ部片（可動アゴ部側閉じ部）
１ｂ３６  第２回動式半円弧状閉じ部片（可動アゴ部側閉じ部）
１ｂ３９  可動アゴ部側連結ピン案内面
１ｃ  回動軸
１ｄ  ストッパー
１ｄ１，１ｄ１’，１ｄ１”  閉じ過ぎ防止部
１ｄ２，１ｄ２’  開き過ぎ防止部
２，２’  バケット（アタッチメント）
２”  破砕機（アタッチメント）
２ａ，２ｂ  連結ピン
３ａ  作動アーム
３ｂ  バケットシリンダ
３ｂ１  ピストン
３ｃ  可動アゴ連結リンク
３ｄ  アームリンク